【手続補正書】
【提出日】平成22年3月8日(2010.3.8)
【手続補正１】
【補正対象書類名】特許請求の範囲
【補正対象項目名】全文
【補正方法】変更
【補正の内容】
【特許請求の範囲】
【請求項１】
消費者のコンピューティング装置と、マーチャントのコンピューティング装置と、支払いプロバイダのコンピューティング装置とを含むシステムにおいて、前記消費者のコンピューティング装置、前記マーチャントのコンピューティング装置、および前記支払いプロバイダのコンピューティング装置間の３方向のデータ交換を確立することにより、サービス、商品、またはその両方のオンライン購入向けのセキュアな商取引を提供する方法であって、
前記消費者のコンピューティング装置が、前記マーチャントのコンピューティング装置によって提供された１つまたは複数のサービス、商品、またはその両方の購入のオンライン要求を送信するステップと、
前記消費者のコンピューティング装置が、前記１つまたは複数のサービス、商品、またはその両方の購入に関連付けられたコストを含む請求情報を前記マーチャントのコンピューティング装置から受信するステップと、
前記消費者のコンピューティング装置が、消費者が請求アカウントを有する少なくとも１つの支払いプロバイダのコンピューティング装置に前記請求情報を送信することによって、前記コストに対する支払い承認を要求するステップと、
前記消費者のコンピューティング装置が、前記１つまたは複数のサービス、商品、またはその両方の前記コストに対する前記消費者の支払い能力の証明として、支払いトークンを前記少なくとも１つの支払いプロバイダから受信するステップであって、前記支払いトークンは、前記請求情報を含み、前記支払いトークンは、前記消費者の前記請求アカウントに関する機密情報を前記マーチャントのコンピューティング装置に公開することなく前記コストに対する前記支払い承認を一意に識別する、該受信するステップと、
前記消費者のコンピューティング装置が、前記支払いトークンを前記マーチャントのコンピューティング装置に送信するステップであって、前記マーチャントのコンピューティング装置は、支払いの検証のために前記支払いトークンを前記少なくとも１つの支払いプロバイダのコンピューティング装置に送信し、該少なくとも１つの支払いコンピューティング装置は、前記マーチャントのコンピューティング装置から受信した前記支払いトークン内の前記請求情報と、前記消費者のコンピューティング装置から受信した前記請求情報を比較して、前記支払いトークンの有効性を検証する、該送信するステップと、
前記消費者のコンピューティング装置が、前記マーチャントのコンピューティング装置から、前記消費者のコンピューティング装置への前記１つまたは複数のサービス、商品、またはその両方の適切な受け渡しを示す前記支払いトークンの有効性の通知を受信するステップと
を備えたことを特徴とする方法。
【請求項２】
前記請求情報は、前記サービス、商品、またはその両方の説明、前記マーチャントのコンピューティング装置からの使用可能な支払いオプション、またはマーチャント固有の情報、の１つまたは複数をさらに含むことを特徴とする請求項１に記載の方法。
【請求項３】
前記支払いトークンは、前記消費者のコンピューティング装置、前記少なくとも１つの支払いプロバイダのコンピューティング装置、またはその両方によって取り消し可能であることを特徴とする請求項１に記載の方法。
【請求項４】
前記支払いトークンは、前記少なくとも１つの支払いプロバイダのコンピューティング装置によって署名、暗号化、またはその両方が行われ、前記少なくとも１つの支払いプロバイダのコンピューティング装置における前記支払いトークンの検証は、前記署名、前記暗号化、またはその両方を検証することを含むことを特徴とする請求項１に記載の方法。
【請求項５】
前記１つまたは複数のサービス、商品、またはその両方は、加入または複数の支払いを必要とし、前記支払いトークンは、該支払いに対して複数回使用されてもよいことを特徴とする請求項１に記載の方法。
【請求項６】
前記１つまたは複数のサービス、商品、またはその両方は、加入または複数の支払いを必要とし、前記支払いトークンは、前記加入の一括支払いまたは複数の支払いのみに対して有効であり、追加のトークンがその後の支払いに必要とされることを特徴とする請求項１に記載の方法。
【請求項７】
前記マーチャントのコンピューティング装置から前記消費者のコンピューティング装置に送信された前記請求情報は、前記マーチャントのコンピューティング装置によって暗号化または署名され、前記方法は、
前記マーチャントのコンピューティング装置が、前記消費者のコンピューティング装置から受信した前記支払いトークンを検証するために、前記支払いトークンの受信の際に該支払いトークン内の暗号化または署名された請求情報の信頼性を検証するステップをさらに含むことを特徴とする請求項１に記載の方法。
【請求項８】
請求項１に記載の方法を消費者のコンピューティング装置に実行させるためのコンピュータ実行可能な命令を記録したことを特徴とするコンピュータ読み取り可能な記録媒体。
【請求項９】
オンライン商取引を実行する分散コンピューティングシステムにおいて、監査、不正行為防止、および他の目的で前記オンライントランザクションの記録を保持するための電子請求書の提示に基づいてマーチャントのコンピューティング装置からのサービス、商品、またはその両方の支払いを承認するための方法であって、
支払いプロバイダのコンピューティング装置が、消費者のコンピューティング装置による１つまたは複数のサービス、商品、またはその両方の購入に関する説明および費用を含む電子請求書を、オンライン商取引中に前記消費者のコンピューティング装置から受信するステップと、
前記支払いプロバイダのコンピューティング装置が、マーチャントのコンピューティング装置からの前記１つまたは複数のサービス、商品、またはその両方の支払いに対する承認のために、前記電子請求書の少なくとも一部分のコピーを含む支払いトークンを、前記消費者のコンピューティング装置に送信するステップと
を備えたことを特徴とする方法。
【請求項１０】
前記電子請求書の１つまたは複数の部分は、前記１つまたは複数の部分を前記消費者のコンピューティング装置、前記支払いプロバイダのコンピューティング装置、またはその両方に対して不透明にするために前記マーチャントのコンピューティング装置によって暗号化されることを特徴とする請求項９に記載の方法。
【請求項１１】
前記支払いプロバイダのコンピューティング装置が、前記電子請求書のコピーを格納するステップと、
前記支払いプロバイダのコンピューティング装置が、前記１つまたは複数のサービス、商品、またはその両方に対応する代金の支払いに対する支払い要求であって、前記マーチャントのコンピューティング装置からの前記電子請求書の少なくとも一部のコピーを含む支払い要求を、前記マーチャントのコンピューティング装置から受信するステップと、
前記支払いプロバイダのコンピューティング装置が、適切な支払いを承認するために、前記電子請求書の格納された前記コピーを、前記マーチャントのコンピューティング装置から受信した前記電子請求書の少なくとも一部分の前記コピーと比較するステップと
をさらに備えたことを特徴とする請求項９に記載の方法。
【請求項１２】
前記電子請求書のコピーは、前記マーチャントのコンピューティング装置によって署名され、前記方法は、
前記支払いプロバイダのコンピューティング装置が、前記電子請求書の署名された前記コピーを含む支払いトークンを、前記消費者のコンピューティング装置に送信するステップであって、前記電子請求書の署名された前記コピーは、前記支払いトークンが前記マーチャントのコンピューティング装置と前記消費者のコンピューティング装置との間で生じた商取引の一部であることを検証するために前記マーチャントが使用することができるステップと、
前記支払いプロバイダのコンピューティング装置が、前記１つまたは複数のサービス、商品、またはその両方に関する前記支払いトークンを承認するよう求める要求を、前記マーチャントのコンピューティング装置から受信するステップと、
前記マーチャントのコンピューティング装置が前記１つまたは複数のサービス、商品、またはその両方を前記消費者のコンピューティング装置に受け渡すことができるように、前記支払いプロバイダのコンピューティング装置が、前記支払いトークンの前記有効性の通知を前記マーチャントのコンピューティング装置に送信するステップと
をさらに備えたことを特徴とする請求項９に記載の方法。
【請求項１３】
オンライン商取引を実行する分散コンピューティングシステムにおいて、監査、不正行為防止、および他の目的で前記オンライントランザクションの記録を保持するための電子請求書の提示に基づいて支払い承認を検証する方法であって、
マーチャントのコンピューティング装置が、１つまたは複数のサービス、商品、またはその両方の購入に関する説明および費用を含む電子請求書を、オンライン商取引中の消費者のコンピューティング装置に送信するステップと、
前記マーチャントのコンピューティング装置が、支払いトークンが前記マーチャントのコンピューティング装置と前記消費者のコンピューティング装置との間で生じた商取引の一部であることを検証するために、前記電子請求書の少なくとも一部分を含む前記支払いトークンを前記消費者のコンピューティング装置から受信するステップと
を備えたことを特徴とする方法。
【請求項１４】
前記電子請求書の１つまたは複数の部分は、前記１つまたは複数の部分を前記消費者のコンピューティング装置、支払いプロバイダのコンピューティング装置、またはその両方に対して不透明にするために前記マーチャントのコンピューティング装置によって暗号化されることを特徴とする請求項１３に記載の方法。
【請求項１５】
前記マーチャントのコンピューティング装置が、前記１つまたは複数のサービス、商品、またはその両方の前記支払いに対する承認を受けるために、前記電子請求書の署名された前記コピーを含む支払いトークンを、前記支払いプロバイダのコンピューティング装置に送信するステップと、
前記マーチャントのコンピューティング装置が、前記１つまたは複数のサービス、商品、またはその両方の代金を支払う前記消費者の能力を示す前記支払いトークンの承認を、前記支払いプロバイダのコンピューティング装置から受信するステップと、
前記マーチャントのコンピューティング装置が、前記承認に基づいて、前記商取引を完了するために前記１つまたは複数のサービス、商品、またはその両方を前記消費者のコンピューティング装置に送信するステップと
をさらに備えたことを特徴とする請求項１３に記載の方法。